(57)【特許請求の範囲】
【請求項１】
被覆材であって、
この被覆材が、
底面上に少なくとも１つのガイドを備えた複数のパネルであるとともに、前記ガイドが、グルーブによって形成され、このグルーブが、横断面視において前記グルーブの開口度合いよりも大きな寸法を有したキャビティに対してのアクセスを提供するものとされた、複数のパネルと、
前記パネルの前記グルーブに対して直交して配置された長尺の形状部材であるとともに、この形状部材が、ガイドを備え、前記ガイドが、グルーブによって形成され、このグルーブが、横断面視において前記グルーブよりも大きな寸法を有したキャビティに対してのアクセスを提供するものとされた、形状部材と、
によって形成された構造を具備してなり、
前記パネルの前記ガイドと前記形状部材の前記ガイドとの間の交差領域に、クリップが設けられ、
前記クリップが、前記パネルの前記ガイドの前記キャビティと、前記形状部材の前記ガイドの前記キャビティと、の双方の内部に同時に収容されており、
前記クリップが、前記キャビティのうちの一方のキャビティ内に導入されることを意図された厚いヘッドと、弾性ボディと、を有し、
前記弾性ボディの弾性により、前記弾性ボディが、第１圧縮状態をとることができ、
前記第１圧縮状態においては、前記弾性ボディが、前記ヘッドが収容されていない方の前記ガイドの前記グルーブを通り抜けることができ、
前記弾性ボディが、膨脹状態でもって、前記ヘッドが収容されていない方の前記ガイドの前記グルーブの前記キャビティ内に収容され、
前記弾性ボディが、少なくとも２つの脚部材を有し、
各々の前記脚部材が、自由端と、前記キャビティにおける前記グルーブに隣接した壁に対して接触することを意図したショルダ領域と、を有し、
このような被覆材において、
前記クリップのうちの少なくとも１つが、前記キャビティにおける前記グルーブに隣接した前記壁の反対側の壁に対しても接触し、これにより、前記クリップが、前記キャビティの内部において、前記第１圧縮状態とは異なる第２圧縮状態でもって、弾性的に圧縮され、
前記少なくとも２つの脚部材の前記自由端は、互いに対向しており、前記第１圧縮状態において前記自由端の１つが、向かい合った前記脚部材の前記自由端の上又は下に位置するように構成される、
ことを特徴とする被覆材。
【請求項２】
請求項１記載の被覆材において、
前記脚部材の各々が、前記ショルダ領域と、前記ショルダ領域に対して連接された付属物と、から形成され、
前記付属物の自由端が、前記クリップの中央軸線を向いている、
ことを特徴とする被覆材。
【請求項３】
請求項２記載の被覆材において、
前記付属物が、湾曲している、
ことを特徴とする被覆材。
【請求項４】
請求項１〜３のいずれか１項に記載の被覆材において、
前記クリップの前記ヘッドが、フラット領域とされ、
このフラット領域には、突起が設けられ、
前記突起が、前記ヘッドが内部に導入された方の前記キャビティにおける前記グルーブに隣接した壁の反対側の壁に対して接触する、
ことを特徴とする被覆材。
【請求項５】
請求項１〜４のいずれか１項に記載の被覆材において、
前記パネルが、少なくとも一方のエッジ上に、少なくとも１つの離間突起を有し、
前記離間突起が、鉛直方向の全体に沿って延在していないものとされ、
前記離間突起が、隣接するパネルどうしを離間させる、
ことを特徴とする被覆材。
【請求項６】
請求項５記載の被覆材において、
前記離間突起が、前記パネルの前記ガイドに対して平行なエッジ上に配置されている、
ことを特徴とする被覆材。
【請求項７】
請求項５または６記載の被覆材において、
前記離間突起が、前記パネルの一方のエッジ上に配置されている、
ことを特徴とする被覆材。
【請求項８】
請求項５〜７のいずれか１項に記載の被覆材において、
前記パネルが、前記離間突起が設けられた前記エッジ上において、２つ以上の前記離間突起を有している、
ことを特徴とする被覆材。
【請求項９】
請求項５〜８のいずれか１項に記載の被覆材において、
前記離間突起が、プリズム形状または円筒形状を有している、
ことを特徴とする被覆材。
【請求項１０】
請求項５〜９のいずれか１項に記載の被覆材において、
前記離間突起が、前記パネルの前記エッジ上に形成された凹所内に導入される、
ことを特徴とする被覆材。
【請求項１１】
請求項５〜１０のいずれか１項に記載の被覆材において、
前記パネルのうちの、前記離間突起が設けられた前記エッジが、凹所および突起を有し、
前記凹所および前記突起が、隣接するパネルの反対側のエッジに設けられた凹所および突起に対して対向し、これにより、前記離間突起が、外部から見えないものとされている、
ことを特徴とする被覆材。
【請求項１２】
請求項１１記載の被覆材において、
前記離間突起が設けられた前記エッジが、前記エッジの全体に沿って長手方向に延在する凹所を有し、
前記離間突起が、前記凹所の深さと比較して、同じ長さを有しあるいはそれよりも短い長さを有し、これにより、前記離間突起が、前記凹所から突出しないものとされている、
ことを特徴とする被覆材。
【請求項１３】
請求項１〜１２のいずれか１項に記載された被覆材のためのクリップであって、
一方の前記キャビティ内に導入されることを意図された厚いヘッドと、
弾性ボディと、
を具備してなり、
前記弾性ボディの弾性により、前記弾性ボディが、第１圧縮状態をとることができ、
前記第１圧縮状態においては、前記弾性ボディが、前記ヘッドが収容されていない方の前記ガイドの前記グルーブを通り抜けることができ、
前記弾性ボディが、膨脹状態でもって、前記ヘッドが収容されていない方の前記ガイドの前記グルーブの前記キャビティ内に収容され、
前記弾性ボディが、少なくとも２つの脚部材を有し、
各々の前記脚部材が、自由端と、前記キャビティにおける前記グルーブに隣接した壁に対して接触することを意図したショルダ領域と、を有しており、
前記少なくとも２つの脚部材の前記自由端は、互いに対向しており、前記第１圧縮状態において前記自由端の１つが、向かい合った前記脚部材の前記自由端の上又は下に位置するように構成される、
ことを特徴とするクリップ。
【請求項１４】
請求項１３記載のクリップにおいて、
前記ショルダ領域が、付属物へと連接され、
前記付属物の自由端が、前記クリップの中央軸線を向いている、
ことを特徴とするクリップ。
【請求項１５】
請求項１４記載のクリップにおいて、
前記付属物が、湾曲している、
ことを特徴とするクリップ。
【請求項１６】
請求項１３〜１５のいずれか１項に記載のクリップにおいて、
前記クリップの前記ヘッドが、フラット領域とされ、
このフラット領域には、突起が設けられ、
前記突起が、前記ヘッドが内部に導入された方の前記キャビティにおける前記グルーブに隣接した壁の反対側の壁に対して接触する、
ことを特徴とするクリップ。
【発明の詳細な説明】
【技術分野】
【０００１】
本発明は、表面が鉛直方向のもの（壁）であるかあるいは表面が水平方向のもの（天井、床）であるかにかかわらず、表面のための被覆材に関するものである。
【０００２】
より詳細には、本発明は、取外しが容易であるような被覆材に関するものである。
【背景技術】
【０００３】
被覆材に関する問題点は、とりわけ、主要機能が美観であるような被覆材に関する問題点は、その取外しにある。例えば、サービスダクトに対してアクセスするに際しての、あるいは、被覆材自体に対してメンテナンスや修復作業を実行するに際しての、被覆材の取外しにある。一般的に起こる事象は、取外し操作によって被覆材の少なくとも一部が破損することであり、また、経時的に印加された張力のために被覆材の構成部材が変形してしまって、取外しや再設置ができないことである。
【０００４】
特許文献１には、完全に取り外すことができて移動可能に設置するための寄せ木張りの床が開示されており、この寄せ木張りの床は、複数の板材から構成され、板材のサイドエッジには、溝形部材が形成されている。板材の底面上のところにおいて、板材は、Ｔ字形状の長手方向グルーブを有している。この長手方向グルーブは、複数のクリップのためのガイドとして機能する。クリップは、対応する板材上に設けられたガイド内に着座した際には、全体的にＵ字形状の横断面を有したいくつかの形状部材上に連結される。形状部材の上端部は、内向きに曲げられている。特許文献１におけるクリップは、フラットなクリップであって、水平方向のヘッドと、２つの曲げアームと、を有している。各アームは、９０°の曲がりを有している。クリップの機能は、内部にクリップが挿入されることとなる形状部材の鉛直方向壁に対して、押圧されることである。そのようなクリップは、金属材料から形成される。クリップは、形状部材の軸線に沿ったおよび板材のグルーブに沿った水平方向における板材の動きを妨害することがない。
【０００５】
この床に関連した問題点は、天井や壁に適していないことである。実際、クリップは、とりわけ鉛直方向においては、十分な保持力を生成するものではない。これは、板材が自発的に抜け落ちることを意味する。他の問題点は、クリップが、塑性変形を起こすことであり、その結果、分解後には、すべてのクリップを交換する必要があることである。
【０００６】
この床に関連したさらなる問題点は、屋外に配置するのに適していないことである。それは、熱膨張や湿気の吸収に起因する板材の移動を許容し得るものの、排水チャネルが設けられていないからである。
【０００７】
さらに他の問題点は、屋内に配置されることに関連して、被覆材として使用されることのために、板材どうしの間にエア通路が設けられていないことである。これは、換気されるべきという前提や加熱されなければならないという前提では、有効である。そのため、そのような床においては、被覆材の直下に加熱部材を設置することができない。
【０００８】
特許文献２には、埋込ガイドを有した天井または壁のための被覆材が開示されている。埋込ガイドは、ガイド付きのパネルによって、埋込ガイドに垂直に、被覆される。埋込ガイドおよびパネルは、クリップを使用して、連結される。クリップは、フラットで平滑なヘッドを有しているものであって、ヘッドは、パネルのガイドを通してスライドすることができる。クリップは、さらに、２つの脚部材を有している。これら脚部材は、埋込ガイド内に導入される。脚部材の各々は、埋込ガイドのグルーブの近傍において、埋込ガイドのキャビティをなす壁に対して接触する。よって、脚部材が、重力に基づいてパネルが落下してしまうことを、防止する。しかしながら、脚部材は、グルーブの近傍の壁とは反対側の壁に対しては、接触していない。その結果、被覆材は、床には適したものではなく、さらに、クリップに寸法誤差が存在すれば、パネルの全重量がクリップの１つのポイントに集中することとなり、パネルが容易に落下してしまう。
【０００９】
屋外に適した公知の被覆材が存在し、その場合、板材どうしの間が離間されている、すなわち、板材どうしの間にチャネルが形成されている。そのような離間は、隣接する板材どうしの間にクリップを配置することにより、行われる。クリップは、支持構造に対して固定され、さらに、各々の板材に対して固定される。特許文献３，４に記載されているように、板材のエッジは、フラットな仕上げと溝形仕上げとの双方を有することができる。しかしながら、クリップの配置は、板材を固定し、そのため、板材は、いかなる動きも吸収することができなくなる。さらに、板材を取り外すことが容易ではない。クリップは、板材内に嵌め込まれるため、板材を損傷してしまう。
【先行技術文献】
【特許文献】
【００１０】
【特許文献１】ＥＳ １ ０２９ ６０１ Ｕ
【特許文献２】ＤＥ ４１ １５ ９００ Ａ１
【特許文献３】ＥＳ １ ０４１ ５０５ Ｕ
【特許文献４】ＥＳ ２ ３９３ ６７８ Ｔ３
【発明の概要】
【発明が解決しようとする課題】
【００１１】
本発明の１つの目的は、水平方向の位置ズレに関する移動性を許容するタイプの、取外し可能な被覆材を開示することであり、また、床および壁および天井といったようなすべての種類の表面に対して適しているような被覆材を開示することである。
【００１２】
本発明の他の目的は、パネルを移動させ得るとともに、同時に、水やエアを通過させ得るようパネルどうしの間の離間を許容し得るような、被覆材を開示することである。
【課題を解決するための手段】
【００１３】
本発明は、特許請求の範囲によって規定される。
【００１４】
特に、本発明は、被覆材を開示するものであり、この被覆材は、底面上に少なくとも１つのガイドを備えた複数のパネルであるとともに、ガイドは、グルーブによって形成され、このグルーブは、横断面視においてグルーブの開口度合いよりも大きな寸法を有したキャビティに対してのアクセスを提供するものとされた、複数のパネルと、パネルのグルーブに対して直交して配置された長尺の形状部材であるとともに、この形状部材は、ガイドを備え、ガイドは、グルーブによって形成され、このグルーブは、横断面視においてグルーブよりも大きな寸法を有したキャビティに対してのアクセスを提供するものとされた、形状部材と、によって形成された構造を具備してなり、パネルのガイドと形状部材のガイドとの間の交差領域に、クリップが設けられ、クリップは、パネルのガイドのキャビティと、形状部材のガイドのキャビティと、の双方の内部に同時に収容されており、このような被覆材において、クリップは、キャビティのうちの一方のキャビティ内に導入されることを意図された厚いヘッドと、弾性ボディと、を有し、弾性ボディの弾性により、弾性ボディは、第１圧縮状態をとることができ、第１圧縮状態においては、弾性ボディは、ヘッドが収容されていない方のガイドのグルーブを通り抜けることができ、弾性ボディは、膨脹状態でもって、ヘッドが収容されていない方のガイドのグルーブのキャビティ内に収容され、弾性ボディは、少なくとも２つの脚部材を有し、各々の脚部材は、キャビティのうちのグルーブのごく近傍の壁に対して接触することを意図した、好ましくはフラットな、ショルダ領域を有している。
【００１５】
従来技術とは異なり、クリップは、グルーブを通過した後にクリップを取り付けるに際して、横方向の膨脹を利用しておらず、それよりもむしろ、クリップが取り外されることを防止するための係止体として作用するショルダ構造を提供するものであり、取外しに対抗する力が、受動的であって、引っ張り移動に対して平行な方向である。これは、引っ張り移動に対して垂直であるような従来技術における弾性力よりも、はるかに効果的である。
【００１６】
好ましくは、脚部材のうちの少なくとも１つは、グルーブに対して隣接した壁とは反対側の壁に対しても接触し、これにより、クリップは、好ましくは脚部材は、キャビティの内部において、第１圧縮状態とは異なる第２圧縮状態でもって、弾性的に圧縮される。このことは、クリップの取外しに打ち勝つ抵抗性を増大させる。偏心的な力による取外し、すなわち、引っ張りトルクと組み合わせた力にも、打ち勝つことができる。
【００１７】
好ましくは、脚部材の各々は、ショルダ領域と、ショルダ領域に対して連接された付属物と、から形成され、付属物の自由端は、クリップの中央軸線を向いている。この特徴点は、格別の利点をもたらす。なぜなら、キャビティ内において、クリップを、通常よりも外向きに膨脹させ得るからである。これにより、偶発的な取外しの阻止が、さらに増強される。
【００１８】
より好ましくは、自由端を有した付属物は、湾曲している。また、好ましくは、クリップのヘッドは、フラット領域とされ、このフラット領域には、突起が設けられ、突起は、ヘッドが内部に導入された方のキャビティのうちの、グルーブとは反対側に位置した壁に対して接触する。
【００１９】
好ましくは、クリップは、合成材料から形成され、より好ましくは、クリップは、熱可塑性材料から形成される。本発明においては、他の材料も適切に使用することができる。あるいは、他の材料は、例えばグラフェンといったように、その機能を最適化することができる。
【００２０】
本発明は、さらに、本発明によるタイプの被覆材のためのクリップに関するものであって、クリップは、厚いヘッドと、弾性ボディと、を具備してなり、弾性ボディの弾性により、弾性ボディは、第１圧縮状態をとることができ、このようなクリップにおいて、弾性ボディは、少なくとも２つの脚部材を有し、各々の脚部材は、キャビティのうちのグルーブのごく近傍の壁に対して接触することを意図したショルダ領域を有している。
【００２１】
好ましくは、ショルダ領域は、付属物へと連接され、付属物の自由端は、クリップの中央軸線を向いている。
【００２２】
より好ましくは、自由端を有した付属物は、湾曲している。
【００２３】
本発明は、さらに、本発明による被覆材のパネルの改良された取付を可能とするタイプのクリップを開示するものであって、より大きなパネルを有しているような、天井用の被覆材としてまた壁用の被覆材として、使用することができる。
【００２４】
クリップは、好ましくは、一方のキャビティ内に導入されることを意図された厚いヘッドと、弾性ボディと、を具備してなり、弾性ボディの弾性により、グルーブを通過することができる。好ましくは、弾性ボディの弾性により、弾性ボディは、第１圧縮状態をとることができ、第１圧縮状態においては、弾性ボディは、ヘッドが収容されていない方のガイドのグルーブを通り抜けることができ、弾性ボディは、膨脹状態でもって、ヘッドが収容されていない方のガイドのグルーブのキャビティ内に収容される。
【００２５】
好ましくは、クリップの弾性ボディは、少なくとも２つの脚部材を有し、各々の脚部材は、キャビティのうちのグルーブのごく近傍の壁に対して接触することを意図した、好ましくはフラットな、ショルダ領域を有している。
【００２６】
従来技術とは異なり、クリップは、グルーブを通過した後にクリップを取り付けるに際して、横方向の膨脹を利用しておらず、それよりもむしろ、クリップが取り外されることを防止するための係止体として作用するショルダ構造を提供するものであり、取外しに対抗する力が、受動的であって、引っ張り移動に対して平行な方向である。これは、引っ張り移動に対して垂直であるような従来技術における弾性力よりも、はるかに効果的である。
【００２７】
好ましくは、各々の脚部材は、キャビティに対して隣接した壁とは反対側の壁に対しても接触し、これにより、クリップは、キャビティの内部において、第１圧縮状態とは異なる第２圧縮状態でもって、弾性的に圧縮される。このことは、クリップの取外しに打ち勝つ抵抗性を増大させる。偏心的な力による取外し、すなわち、引っ張りトルクと組み合わせた力にも、打ち勝つことができる。
【００２８】
好ましくは、脚部材の各々は、ショルダ領域と、ショルダ領域に対して連接された付属物と、から形成され、付属物の自由端は、クリップの中央軸線を向いている。この特徴点は、格別の利点をもたらす。なぜなら、キャビティ内において、クリップを、通常よりも外向きに膨脹させ得るからである。これにより、偶発的な取外しの阻止が、さらに増強される。
【００２９】
より好ましくは、自由端を有した付属物は、湾曲している。また、好ましくは、クリップのヘッドは、平面的な領域とされ、この平面的な領域には、突起が設けられ、突起は、ヘッドが内部に導入された方のキャビティのうちの、グルーブとは反対側に位置した壁に対して接触する。
【００３０】
好ましくは、クリップは、合成材料から形成され、より好ましくは、クリップは、熱可塑性材料から形成される。本発明においては、他の材料も適切に使用することができる。あるいは、他の材料は、例えばグラフェンといったように、その機能を最適化することができる。
【００３１】
さらにより好ましくは、クリップのヘッドは、フラット領域とされ、このフラット領域には、突起が設けられ、突起は、ヘッドが内部に導入された方のキャビティのうちの、グルーブとは反対側に位置した壁に対して接触する。
【００３２】
特に、本発明は、さらに、被覆材を開示するものであって、この被覆材は、底面上に少なくとも１つのガイドを備えた複数のパネルであるとともに、ガイドは、グルーブによって形成され、このグルーブは、横断面視においてグルーブの開口度合いよりも大きな寸法を有したキャビティに対してのアクセスを提供するものとされた、複数のパネルと、パネルのグルーブに対して直交して配置された長尺の形状部材であるとともに、この形状部材は、ガイドを備え、ガイドは、グルーブによって形成され、このグルーブは、横断面視においてグルーブよりも大きな寸法を有したキャビティに対してのアクセスを提供するものとされた、形状部材と、によって形成された構造を具備してなり、パネルのガイドと形状部材のガイドとの間の交差領域に、クリップが設けられ、クリップは、パネルのガイドのキャビティと、形状部材のガイドのキャビティと、の双方の内部に同時に収容されており、パネルは、少なくとも一方のエッジ上に、少なくとも１つの離間突起を有し、離間突起は、鉛直方向の全体に沿って延在していないものとされ、離間突起は、隣接するパネルどうしを離間させる。
【００３３】
離間突起は、エッジの全体に沿って延在しているものではなく、パネルどうしを互いに離間させることができる。これにより、ガイドの軸線に沿ってのパネルの移動を阻止するものではなく、さらに、パネルどうしの間の隙間を通しての流体（エア、水）の通過を妨害するものでもない。
【００３４】
好ましくは、離間突起は、パネルのガイドに対して平行なエッジ上に配置されている。
【００３５】
好ましくは、離間突起は、パネルの一方のエッジ上に配置されている。
【００３６】
より好ましくは、パネルは、離間突起が設けられたエッジ上において、２つ以上の離間突起を有している。
【００３７】
さらにより好ましくは、離間突起は、プリズム形状を有することができる。また、離間突起は、円筒形状を有することができる。離間突起は、パネルのエッジ上に形成された凹所内に導入される。
【００３８】
好ましくは、パネルのうちの、離間突起が設けられたエッジは、追加的に、凹所および突起を有し、凹所および突起は、隣接するパネルの反対側のエッジに設けられた凹所および突起に対して対向し、これにより、離間突起は、外部から見えないものとされる。この効果を生成するに際しての好ましい態様は、エッジが、離間突起が配置されている方のエッジ上において、エッジの長さ全体に沿って延在する下側凹所を有している場合に、得られる。離間突起は、凹所が設けられていない方のエッジの上部から離間突起が見えないような、長さを有している。
【００３９】
本発明の他の見地においては、本発明は、また、被覆材を開示するものであって、この被覆材は、複数のパネルと、複数の形状部材と、によって形成された構造を具備してなり、形状部材は、パネルに対して直交して配置され、パネルの各々と、複数の形状部材のうちの１つまたは複数の形状部材と、の間に、連結が形成され、そのような連結が、パネルが１つまたは複数の形状部材に沿った方向においてスライド可能とされているようにして、行われている。好ましくは、パネルは、そのような方向において、手動によって、あるいは、１つの形状部材あたりにつき５００Ｎ未満の力で、好ましくは１つの形状部材あたりにつき２００Ｎ未満の力で、スライド可能とされている。明らかなように、パネルを移動させることが容易であることのために、また、形状部材に対しての連結が容易であることのために、大いなる利点は、被覆材の直下のスペースにアクセスを行う際に得られる。１つまたは複数のパネルは、あるいは、１列のまたは複数列のパネルは、便利な場所のところで取り外すことができる。残りのパネルは、生成された自由空間に向けてスライドさせることができる。これにより、パネルの直下の所望の場所に対してアクセスすることができる。
【００４０】
第２見地による被覆材が、好ましくは、請求項１に記載された被覆材の様々な特徴点を有していることは、また、必須ではないけれども好ましい実施形態の様々な特徴点を有していることは、明らかである。
【００４１】
好ましくは、上記の連結は、互いに個別とされた複数のクリップによって形成され、クリップの各々は、パネルと形状部材とを連結する。クリップは、パネルの底部上のグルーブ内へと導入することができ、グルーブは、パネルの長手方向に延在している。変形例においては、クリップは、パネルと同じ材料から一体部材として形成される、あるいは、例えばねじ止めや釘打ちや接着剤や他の手法といったような連結手段によって、パネルに対して固定的に連結される。
【００４２】
好ましくは、クリップは、形状部材のキャビティ内に導入される。好ましくは、クリップは、パネルに対して連結されているかどうかに関わらず、形状部材に向けてのクリップの下向き移動によって、キャビティ内へのクリップ自体の導入を可能としている。好ましくは、キャビティは、形状部材の開口に対して隣接したところに、壁を有し、壁は、段部を形成し、クリップは、クリップがキャビティ内に導入されたときに、壁に対して協働するフックを有している。
【００４３】
好ましくは、上記の連結は、パネルがパネルの長手方向においてスライド可能であるようにして、行われる。
【００４４】
より良好な理解のために、本発明による表面被覆材の実施形態に関する図面が、非限定的な例示として、添付されている。
【図面の簡単な説明】
【００４５】
【図１】本発明による被覆材を示す斜視図であって、パネルの部分断面図によって、固定態様が図示されている。
【図２】２つの形状部材の頂部上に配置されたパネルを、一部断面によって詳細に示す図である。
【図３】図２の変形例を示す図であって、パネルは、異なる形状のエッジを有している。
【図４】図２の他の変形例を示す図である。
【図５】パネルを底面側から見た斜視図であって、パネルのガイドが図示されている。
【図６】本発明におけるクリップを示す斜視図である。
【図７】クリップの配置態様および機能を示す横断面図であって、クリップは、パネルのガイド内と、パネルに対して横方向に位置した形状部材のガイド内と、に対して同時に配置されている。
【図８】図７と同様の横断面図であって、他のタイプの形状部材が使用されている。
【図９】図８の形状部材を使用した場合の連結手順を示す部分断面図である。
【図１０】図９において形状部材どうしを連結するための連結部材を示す図である。
【図１１】図１０の連結部材を示す断面図である。
【図１２】本発明による被覆材の第２実施形態を示す斜視図であって、パネルの部分断面図によって、固定態様が図示されている。
【図１３】２つの形状部材の頂部上に配置されたパネルの第２の例を、一部断面によって詳細に示す図である。
【図１４】図１２の例における被覆材を示す側面図である。
【図１５】図１３における細部を示す正面図である。
【図１６】パネルの第２の例を底面側から見た斜視図であって、パネルのガイドが図示されている。
【図１７】図１２の被覆材において、パネルの配置方法を概略的に示す斜視図である。
【発明を実施するための形態】
【００４６】
図１は、複数のパネル１からなる被覆材を示している。パネル１は、長尺の形状部材２上に配置されている。パネル１と形状部材２とは、クリップ３を使用して連結することができる。
【００４７】
クリップ３は、パネル１の隠れている面（底面）上に形成されたガイド１１上と、形状部材２の内部ガイド２１上と、に同時的に配置されている。
【００４８】
図１〜図７の例においては、パネル１は、それらのエッジどうしが、互いに接触している。エッジの形状は、様々なものとすることができる。例えば、エッジは、フラットなものとすることができる。同様に、各パネルは、２つのガイド１１を有している。各々のガイド１１は、パネルに沿って長手方向に延在する側部上に位置している。パネル１のエッジは、また、溝形を形成し得るように、突起と凹所とを有することができる。互いに係合する突起と凹所とを有している場合には、各パネルは、ただ１つのガイド１１だけを有することができる。当然のことながら、より幅が広いパネルは、多くの数のガイドを有することができる。図５に示すように、ガイド１１は、キャビティ１１２によって形成されている。キャビティ１１２に対しては、グルーブ１１１を通してアクセスすることができる。グルーブ１１１は、キャビティ１１２と比較して、より小さい幅を有している。図示の例においては、パネル１のキャビティ１１２は、矩形形状とされている。このため、ガイド１１は、全体的にＴ字形状の横断面形状を有している。
【００４９】
形状部材２の内部ガイド２１は、形状部材２に沿って長手方向に延在している。形状部材２の内部ガイド２１は、パネル１のガイド１１に対して直交して配置されている。同様に、内部ガイド２１は、キャビティ２１２によって形成されており、キャビティ２１２は、横断面内において、キャビティ２１２に対してアクセスするためのグルーブ２１１を有している。キャビティ２１２の幅は、グルーブ２１１の幅と比較して、より広いものとされている。
【００５０】
パネル１のガイド１１と形状部材２の内部ガイド２１との間の交差箇所には、クリップ３が配置される。クリップ３は、互いに交差しているガイド１１，２１のキャビティ１１２，２１２内に導入され、パネル１を、パネル１が隠している構造に対して取り付ける。この構成は、被覆材を、固定された不動箇所を形成することなく、構造に対して取り付け得るという利点を有している。よって、パネル１は、ガイド１１，２１によって規定された向きに移動することができる。そのような移動は、加熱や冷却に基づくパネルの膨脹や収縮によって、あるいは、被覆材をなす様々な構成部材どうしの間の温度差に基づくパネルの膨脹や収縮によって、引き起こされることができる。あるいは、例えばプラスチックや木材等といったような湿気を吸収する材質の場合には、外部の湿度の変化に基づいて、パネルの膨脹や収縮が起こり、そのような移動が引き起こされ得る。
【００５１】
図６に示すように、本発明におけるクリップ３の図示の例においては、クリップ３は、フラットな矩形形状のヘッド３１と、このヘッド３１から延出されていてリブ３１１，３１１’の態様とされた突出部材と、を有している。突出部材の機能は、パネル１のガイド１１内のキャビティ１１２をなす壁であるとともにキャビティ１１２に対してのアクセスを提供しているグルーブ１１１とは反対側に位置した壁に対しての接触を確保することである。接触を行うことの目的は、クリップ３のうちの、パネル１のガイド１１の長手方向軸線と形状部材２の内部ガイド２１の長手方向軸線の双方に対して同時に直交している軸線に沿った弾性部分を押圧することである。ここで、リブによってそれを行うことは、クリップ３とパネル１との間の摩擦を過度に増大させないという利点を有している。このことは、設置操作という点からも、また、設置後において被覆材が移動を吸収し得るという点からも、望ましいことである。
【００５２】
クリップのヘッドは、矩形とすることができる。矩形の１つの辺は、パネル１のガイド１１内のキャビティ１１２に対してのアクセスを提供しているグルーブ１１１と比較して、より小さな寸法を有している。これにより、クリップのヘッドを、上述したようにパネル１全体に沿って延在しているガイド１１上の任意の箇所において導入することができる。
【００５３】
配置後には、クリップを、自身のまわりに回転させることができる。これにより、ガイド１１に対しての寸法的な干渉によって、クリップを固定することができる。この目的のために、クリップのヘッド３１が矩形形状を有していることは、すなわち、ガイド１１のヘッド３１が、ガイド１１の幅と比較してより小さい寸法を有した１つの辺と、ガイド１１の幅と比較して同じであるかあるいはそれよりもわずかに大きな寸法を有した他の辺と、を有していることは、クリップをガイド１１内で回転させることができて締付によって調整し得ることにより、利点である。
【００５４】
所定位置において配置されて固定された後には、クリップは、鉛直方向の移動によって、形状部材２の内部ガイド２１の中へと導入することができる。
【００５５】
そのような移動時には、クリップの一部は、まず最初に、変形し、その後、内部で膨脹する。これにより、内部で膨脹力を生成する。この膨脹力は、例えば足踏みといったような場合であっても、パネルの鉛直方向移動を防止する。これと同時に、パネルが、ガイド内のグルーブに沿って移動することは、許容する。クリップにより、鉛直方向において十分に大きな引っ張り力が印加されたときには、パネルを取り外すことができる。クリップの導入に際しては、他の手法も可能である。
【００５６】
２つの脚部材３２，３２’が、クリップ３のヘッド３１から突出している。これらの脚部材は、図示の例においては、フラットであって、互いに平行であり、クリップ３の弾性部分を形成している。各脚部材３２，３２’は、初期的な直線形状部分と、それに続くショルダ領域３２１であるとともに、２つの湾曲部分３２３，３２２の間に規定されたショルダ領域３２１と、さらに、自由端で終端する付属物３２５と、を有している。この例における付属物３２５は、湾曲形状を有しており、付属物３２５の自由端は、クリップの中心を向いている。２つの脚部材３２，３２’の自由端どうしは、互いに対向することができる。しかしながら、それら自由端どうしは、わずかな離間スペースを有している。図示の例においては、一方の脚部材３２の自由端は、他方の脚部材３２’の自由端に対して、上または下に位置している。
【００５７】
クリップ３は、フレキシブルな材料から形成され、好ましくは、熱可塑性プラスチックから形成され、これにより、脚部材３２，３２’の弾性変形を可能とする。他の材質を使用することもできる。
【００５８】
脚部材３２，３２’は、ヘッド３１の近傍においては、互いに離間して位置している。これにより、脚部材が内部に挿入されることとなる内部ガイドのグルーブ内へと進入することができる。好ましくは、変形を起こす必要なく進入することができる。
【００５９】
図７に示す例においては、形状部材２の内部ガイド２１内へと配置するためには、クリップ３は、弾性的に変形しなければならない。ショルダ領域３２１に対して力が印加され、これにより、各脚部材３２，３２’の湾曲部分３２３，３２２どうしが互いに引き寄せられる。これにより、脚部材３２，３２’は、グルーブ２１１内に進入することができる。キャビティ２１２内においては、脚部材３２，３２’は、挿入された向きとは直交する向きにおいて、自由に膨脹することができ、ショルダ領域３２１は、元々の位置へと復帰することができる。同時に、脚部材３２，３２’の自由端は、キャビティ２１２のうちの、グルーブ２１１とは反対側に位置した壁に対して、接触することとなる。これにより、自由端が変形し、これにより、双方向矢印Ｆで示す双方の向きに力を伝達することができる。この力によって、ショルダ領域３２１が、グルーブ２１１のごく近傍の壁２１５に対して接触した状態に維持される。したがって、この状態においては、クリップ３は、挿入時における変形状態とは異なる第２変形状態となっている。同様に、クリップ３は、ショルダ領域３２１と、内部ガイド２１のうちの、クリップの挿入方向に対して直交する平面内の壁と、との間の寸法的な干渉によって、固定されている。補助的な態様においては、図示の例において、クリップは、キャビティ内での変形によって、キャビティの壁に対してのショルダ領域の接触表面に対して垂直な力をもたらすような形状を有している。この力は、クリップの位置の固定を、より増強する。しかしながら、形状部材２の内部ガイド２１によって規定される方向における、および、パネル１のガイド１１によって規定される方向における、パネル１の移動は、許容されている。
【００６０】
図８は、図７に対応しているものの、使用されている形状部材２が相違している。
【００６１】
図８においては、図７と同じ構成部材や同様の構成部材に対しては、同じ参照符号が付されている。したがって、それらの構成部材については、詳細な説明を省略する。
【００６２】
図示のように、図８は、異なる形状部材２の使用を示している。この場合、キャビティ２１２が、キャビティのうちの、グルーブ２１１とは反対側の壁内に、凹所２１６を有していることがわかる。この凹所は、クリップ３の脚部材３２，３２’の付属物３２５を受領することができる。このことは、アセンブリの適切な動作のために好ましいことである。
【００６３】
形状部材は、図示のものから様々に変更することができ、様々なタイプのクリップに関して使用可能な形状部材とすることができる。
【００６４】
図８は、この場合に、一方の脚部材が、グルーブに隣接した壁とは反対側の壁に対して接触する態様を示している。図７の場合と同様に、このことは、クリップを第２変形状態へと押圧し得ることを意味している。
【００６５】
図９〜図１１は、連結部材１０００を使用して、連続する形状部材２，２’を連結するという可能な実施形態を示している。連結部材１０００は、それぞれ対応する端部からアクセス可能であるとともに隔壁１００５によって離間された２つのキャビティ１００２，１００３を有している。
【００６６】
図示のように、連結部材１０００は、中間ボイド２３内に導入される。
【００６７】
連結部材１０００は、さらに、中央領域のところに、周縁フランジ１００１を有している。周縁フランジ１００１は、形状部材２，２’に対しての係止体として機能する。このことは、連結部分の適切な位置決めにとって好ましい。
【００６８】
図１２〜図１７は、複数のパネル１からなる被覆材を示している。パネル１は、長尺の形状部材２上に配置されている。パネル１と形状部材２とは、クリップ３を使用して、連結することができる。
【００６９】
図１２〜図１７においては、図１〜図１１における構成部材と同じ構成部材あるいは同様の構成部材には、同じ参照符号が付されている。
【００７０】
クリップは、パネル１の隠れている面（底面）上に形成されたガイド１１上と、形状部材２の内部ガイド２１上と、に同時的に配置されている。
【００７１】
各パネルは、２つのガイド１１を有している。各々のガイド１１は、パネルに沿って長手方向に延在する側部上に位置している。パネル１のエッジは、ガイド１１に対して平行なものであって、突起４１，４４と凹所４３，４２とを有することができる。突起および凹所は、隣接するパネルのエッジどうしを合わせたときには、互いに係合する。凹所および突起は、エッジの全体に沿って長手方向に延在している。図示の場合においては、凹所および突起がなす組は、溝形構成に対応している。しかしながら、この場合、溝形構成は、実際には、形成されていない。なぜなら、パネルどうしの間が離間しているからである。凹所および突起に関しての、溝形構成とは異なる他の構成も、また、可能である。この場合、パネルが、対称的に配置された少なくとも２つのガイド１１を有していることが、特に好ましい。これにより、取付が、ガイド１１に対して平行な両エッジ上において互いに同等に強力であることが保証される。これは、いくつかの実施形態においては、エッジが固定されていないことのために、なおかつ、隣接するパネルのエッジの表面に対して完全に接触することに起因してエッジの移動が制限されてしまうことがないことのために、重要なものとすることができる。当然のことながら、より幅が広いパネルは、多くの数のガイドを有することができる。
【００７２】
離間突起４９が、パネルの下側凹所４３のところに配置されている。離間突起４９は、断続的に存在しているものであって、エッジ全体に沿って延在していない。この場合、離間突起４９は、円筒形部材とされていて、下側凹所４３のところに位置した特別のハウジング内に導入されている。離間突起４９は、下側凹所４３の深さと比較して、同じ長さとされている、あるいは、好ましくはわずかに短い長さとされている。これにより、離間突起４９は、パネルの周縁から外側に突出することがなく、特に、エッジのうちの下側凹所４３を有していない部分に対応した上側突起４１を超えて突出することがない。このことは、離間突起４９を被覆材の外部から見ることができないことを意味する。隣接するパネルの対応エッジは、適合凹所４２と適合突起４４とを有している。これら適合凹所４２および適合突起４４は、隣接するパネルの突起４１および凹所４３に対応する。特に、パネルの凹所４１および突起４３は、他のパネルの凹所４４および突起４２の反転形状に対応している。これにより、パネルのエッジどうしは、接触することがなく、エアや水が通り抜けることができる。離間突起４９がエッジ全体に沿って延在するものであったならば、この効果は得られない。当然のことながら、他の構成も可能である。図１４を出発点とすれば、例えば、離間突起をもう少し短いものとすることができ、その代わりに、突起４４（および／または、凹所４２）をもう少し長いものとすることができる。
【００７３】
図１６に示すように、ガイド１１，２１は、図１〜図７に示す例におけるガイド１１，２１と比較して、同様の構成を有している。
【００７４】
図１７に示すように、図示されたクリップ３は、図１〜図１１の例におけるクリップと同様のものとされている。したがって、詳細な説明を省略する。
【００７５】
クリップ３を、パネルのガイド内に配置することができ、その後、形状部材の内部ガイド内へとクリップを押圧して、これにより、クリップの脚部材を変形させて、クリップを図１７において鉛直方向に移動させて嵌合させることにより、パネルを設置することができる。
【００７６】
他の導入手法も可能である。
【００７７】
図示された実施形態は、上述したように、本発明の第２の見地の例示を構成する。
【００７８】
本発明は、水平方向の表面（天井、床）に対しても、また、鉛直方向の表面（壁）に対しても、適用することができる。
【００７９】
本発明は、すべての種類の材質から形成されたパネルに関して、適している。
【００８０】
図示の実施形態においては、クリップのヘッドがパネルのガイド内に配置されている。この構成は、ある種の用途においては、好ましいものではあるけれども、逆の実施形態、すなわち、クリップのヘッドが形状部材の内部ガイド内に導入される実施形態も、可能である。このためには、パネルは、クリップの脚部材を受領し得るだけのスペースを提供し得るよう、より大きな厚さを有する必要がある。
【００８１】
当業者には、本発明から派生する様々な利点や特徴点は、明らかであろう。
【００８２】
形状部材およびパネルに形成されたグルーブ内にクリップを配置することにより、被覆材を、互いに直交する双方の水平方向において変位させることができる。これにより、複合体や木材や他の材料から放出されるすべての張力を、双方の方向において吸収することができる。
【００８３】
本発明により、同一の既存の構成部材やパネルやクリップを使用して、任意の時点において、パネルを取り外したり組み立てたりすることができる。
【００８４】
本発明は、パネルどうしの間において解体のためのギャップを必要としないことのために、隠された固定システムに対して適合性を有している。
【００８５】
本発明においては、クリップを、パネル内へと迅速にかつ容易に導入することができるとともに、形状部材内へと迅速にかつ容易に係合させることができる（ねじ止め操作が全く不要であることのために、時間を要さない）。
【００８６】
本発明においては、構成部材どうしが、互いに完全に移動不可能に固定されることがない（構成部材どうしは、単に係合されている）ために、複合体や木材や他の材料の天然の膨脹移動を、双方向において吸収することができる。
【００８７】
一列分のパネルを取り外した後には、残りのパネルを、取り外す必要なく、形状部材のグルーブに沿ってスライドさせることができる。取り外されたパネルは、取り外された表面の他の任意の場所において、残っているギャップ内で交換することができる。このシステムは、床下に隠されたあるいは壁の背後に隠されたあるいは天井の背後に隠された設備に対してのアクセス性を付与する。これにより、損傷箇所を容易に修復することができる。照明設備や他の任意の機構含有したパネルは、連結部材を有していない他のパネルへと交換することによって、天井や壁や床上の任意の場所において、再配置することができる。これにより、装飾的な多様性を付与することができる。
【００８８】
設備を構成する様々な構成部材は、取り外した後に、工場で修理することができ、その後、それぞれの場所に再設置することができる。これは、その場で修理するという作業を回避することができ、同時に、工場内での修理が容易であることから、初期的な品質を回復することができる。また、家庭での修理の際には廃棄物の洗浄手段や濾過手段がないことのために環境への攻撃性が大きいものであるけれども、このような環境負荷を回避することができる。
【００８９】
本発明につき、いくつかの好ましい実施形態に関して上述したけれども、上記に説明は、本発明の範囲を何ら限定するものではない。本発明の範囲は、特許請求の範囲によって規定される。
【符号の説明】
【００９０】
１    パネル
２    形状部材
３    クリップ
１１    ガイド
２１    内部ガイド
３１    ヘッド
３２    脚部材
３２’  脚部材
１１１    グルーブ
１１２    キャビティ
２１１    グルーブ
２１２    キャビティ
３１１    リブ、突出部材
３１１’  リブ、突出部材
３２１    ショルダ領域
３２５    付属物
【図１】
0006607919.tif 000002
【図２】
0006607919.tif 000003
【図３】
0006607919.tif 000004
【図４】
0006607919.tif 000005
【図５】
0006607919.tif 000006
【図６】
0006607919.tif 000007
【図７】
0006607919.tif 000008
【図８】
0006607919.tif 000009
【図９】
0006607919.tif 000010
【図１０】
0006607919.tif 000011
【図１１】
0006607919.tif 000012
【図１２】
0006607919.tif 000013
【図１３】
0006607919.tif 000014
【図１４】
0006607919.tif 000015
【図１５】
0006607919.tif 000016
【図１６】
0006607919.tif 000017
【図１７】
0006607919.tif 000018